(57)【要約】  製品ラベルリストバンドには、材料で覆われ、接触する第1接着剤と、第1接着剤と接触する反対側のカバー材料の上の第2接着剤と、製品ラベルリストバンドを製品パッケージまたは容器に固定する第3接着剤が含まれる。他の実施形態では、固定接着剤は必要ではない。製品ラベルのリストバンドは、製品パッケージまたは容器から剥がされて、イベントへのアクセスを許可するリストバンドを形成する。【選択図】  図１
2020528572.tif 000002
【特許請求の範囲】
【請求項１】
製品ラベルリストバンドであって、
第１の端部および第２の端部、ならびに前面および後面を有する第１の材料の長さと、
前記第１の材料の長さの前記第１の端部またはその近くに、背面上に配置した第１の接着剤と、
前記第１の接着剤を覆う第2の材料において、前記第2の材料は前記第1の接着剤に接触して、前記第２の材料が前記第１の接着剤と接触するところから、前記第２の材料の反対側の表面に配置した第２の接着剤と、
前記第１の材料の長さの前記第２の端部またはその近くで、前記背面に配置した第3の接着剤を備える、製品ラベルリストバンド。
【請求項２】
前記第１および第２の接着剤が永久接着剤であり、前記第３の接着剤が一時的接着剤である、請求項１に記載の製品ラベルリストバンド。
【請求項３】
前記第１の接着剤が３つの接着ストリップとして構成され、前記第２および第３の接着剤が単一の接着ストリップとして構成される、請求項１に記載の製品ラベルリストバンド。
【請求項４】
前記第2の材料は第1の表面と第2の表面を有し、材料の前記第1の表面は前記第1の接着剤と接触しており、前記材料の前記第1の表面は前記材料の前記第1の表面と前記第1の接着剤の接着を低減するコーティングを有する、請求項1に記載の製品ラベルリストバンド。
【請求項５】
前記第２の材料がワックス紙であり、前記ワックス紙の第１の表面がワックスでコーティングされ、前記ワックス紙の第２の表面がワックスでコーティングされていない、請求項１に記載の製品ラベルリストバンド。
【請求項６】
前記第２の材料の前記第２の表面には、前記第２の接着剤が配置されている、請求項１に記載の製品ラベルリストバンド。
【請求項７】
第1接着剤で製品容器に固定され、製品容器に巻き付けられ、
第2接着剤を使用して固定された製品ラベルリストバンドを備える製品容器において、前記製品ラベルリストバンドは、第１面と第２面を有する材料で覆われた第3接着剤を備え、
前記第１面は前記第３接着剤と接触している、製品容器。
【請求項８】
前記第１および第２の接着剤が永久接着剤であり、前記第３の接着剤が一時的接着剤である、請求項7に記載の製品容器。
【請求項９】
前記第１の接着剤が３つの接着ストリップとして構成され、前記第２および第３の接着剤が単一の接着ストリップとして構成される、請求項７に記載の製品ラベル容器。
【請求項１０】
前記材料の前記第１の側面は、前記材料の前記第１の側面と前記第１の接着剤との間の接着を低減するコーティングを有する、請求項７に記載の製品容器。
【請求項１１】
製品ラベルリストバンドの製造方法であって、
第１の端部および第２の端部、ならびに前面および後面を有する第１の材料の長さを取得し、
第１の接着剤を背面上に、前記第１の材料の長さの前記第１の端部またはその近くに配置し、
第２の材料が前記第１の接着剤と接触するように、前記第１の接着剤を第２の材料で覆い、
前記第２の材料が前記第１の接着剤と接触する前記第２の材料の反対面に第２の接着剤を配置し、
前記第１の材料の長さの前記第２の端部またはその近くに、前記背面に第３の接着剤を配置する、製品ラベルリストバンドの製造方法。
【請求項１２】
前記第１および第２の接着剤が永久接着剤であり、前記第３の接着剤が一時的接着剤である、請求項11に記載の方法。
【請求項１３】
前記第１の接着剤を３つの接着ストリップとして構成し、前記第２および第３の接着剤を単一の接着ストリップとして構成することをさらに備える、請求項11に記載の方法。
【請求項１４】
前記第2の材料は第1の表面と第2の表面を有し、材料の前記第1の表面は前記第1の接着剤と接触しており、前記材料の前記第1の表面は前記材料の前記第1の表面と前記第1の接着剤の接着を低減するコーティングを有する、請求項11に記載の方法。
【請求項１５】
前記第２の材料がワックス紙であり、前記ワックス紙の第１の表面がワックスでコーティングされ、前記ワックス紙の第２の表面がワックスでコーティングされていない、請求項11に記載の方法。
【請求項１６】
前記第２の材料の前記第２の表面上に前記第２の接着剤を配置させることをさらに備える、請求項11に記載の方法。
【発明の詳細な説明】
【技術分野】
【０００１】
本出願は、米国仮出願の利益を主張している。2017年7月17日に出願された62/533,586は、参照によりその全体が本明細書に組み込まれる。
【０００２】
実施形態は、イベントリストバンドに関する。さらに詳細には、実施形態は、少なくとも一部を取り外してイベントリストバンドを形成することができる製品ラベルを提供することに関する。
【発明の開示】
【発明が解決しようとする課題】
【０００３】
リストバンドは、イベントへの参加の承認を示すためにしばしば使用される。そのようなリストバンドは、例えば、紙、シリコン、およびプラスチックを含む多数の材料から作成することができる。リストバンドは多数の色で提供でき、グラフィックスと印刷が含まれる。ただし、このようなリストバンドは一般に、別の製品と結合されていないスタンドアロンのアイテムとして提供される。さらに、多くの場合、このようなリストバンドは、イベントのスポンサーをほとんどまたはまったく宣伝せずに配布される。
【課題を解決するための手段】
【０００４】
製品ラベルリストバンドには、材料で覆われ、接触する第1接着剤と、第1接着剤と接触する反対側のカバー材料の第2接着剤と、製品ラベルリストバンドを製品パッケージまたは容器に固定する第3接着剤が含まれる。製品ラベルのリストバンドは、製品パッケージまたは容器から剥がされて、イベントへのアクセスを許可するリストバンドを形成する。
【０００５】
一実施形態では、製品ラベルのリストバンドには、第1の端部および第2の端部を有する第1の材料の長さ、前面と背面、材料の長さの第1端またはその近くに裏面に配置された第1接着剤、第２の材料が第１の接着剤と接触するように第１の接着剤を覆う第２の材料、材料の第1の接着剤と接触する側の反対側に付着した第2の接着剤、および、材料の長さの第２の端部またはその近くに背面に付着された第３の接着剤が含まれる。
【０００６】
別の実施形態では、製品容器に製品ラベルが含まれる。リストバンドは、第1の接着剤で製品容器に固定され、製品容器の周りに巻き付けられ、第2の接着剤を使用して固定されており、製品ラベルリストバンドには、材料で覆われた第三の接着剤が含まれる。
【０００７】
製品ラベルリストバンドは製品に貼付されているため、製品ラベルのリストバンドが貼付されているパッケージまたは容器の製品を大幅に宣伝している。
【図面の簡単な説明】
【０００８】
図１は、一実施形態による、イベントアクセス認可を提供するための製品ラベルリストバンドの前面を示す。
【０００９】
図2は、一実施形態による、イベントへのアクセス許可を提供するための製品ラベルリストバンドの背面を示す。
【００１０】
図３は、一実施形態による図２に示されるＡ−Ａ'で取られた製品ラベルリストバンドの断面を示す。
【００１１】
図４Ａ〜４Ｅは、製品パッケージまたは容器に貼り付ける製品ラベルリストバンド、および製品ラベルリストバンド１００の端部が互いに取り付けられたときに形成される結合継ぎ目を示す。
【００１２】
図５は、例えばフラップ１０６を引っ張ることにより製品パッケージまたは容器から剥がされた後の製品ラベルリストバンドの前面を示している。
【００１３】
図６は、例えばフラップ１０６を引っ張ることにより製品パッケージまたは容器から剥がされた後の製品ラベルリストバンドの背面を示している。
【００１４】
図７は、例えば、一実施形態によるフラップを引くことにより、製品パッケージまたは容器から剥がされた後、図６に示されるＡ−Ａ'で取られた製品ラベルリストバンドの断面を示す。
【００１５】
図8は、一実施形態によるＱＲコードを含む製品ラベルリストバンドを示す。
【００１６】
図９は、一実施形態による製品ラベルリストバンドを製造するためのフローチャートである。
【００１７】
図１０は、図９に関して記載されているように製造された製品ラベルリストバンドを一実施形態による製品パッケージまたは容器に適用するためのフローチャートである。
【発明を実施するための形態】
【００１８】
図１は、一実施形態による、イベントアクセス認可を提供するための製品ラベルリストバンド１００の前面１０３を示す。一実施形態では、製品ラベルリストバンド１００は、製品ラベルリストバンドを製造するためのある長さの材料で作られている。材料は、例えば従来のロールフィードフィルムラベル、熱収縮ラベル、感圧ラベルを含む、製品パッケージおよび容器ラベルを作成するための任意の材料であり得る。一実施形態では、製品ラベルリストバンド１００は、防水性および耐引裂性であってもよい。
【００１９】
図１に示されるように、製品ラベルリストバンド１００の前面１０３は、製品名および製品ロゴなどの任意の所望の製品情報を含むことができるグラフィック用の領域１０２を含む。たとえば、製品ラベルリストバンド100がアクセス許可を提供するイベントの識別、および材料、栄養情報、製造業者情報などの追加の製品情報など、他の任意の情報もエリア102に含めることができる。製品ラベルリストバンド100は、任意の色で作成することもできる。製品ラベルリストバンド100には、グラフィックスまたは情報が含まれておらず、単に1つまたは複数の色にすることもできる。領域１０２は、製品ラベルリストバンド１００の全長またはその一部まで延ばすことができる。
【００２０】
製品ラベルリストバンドは、製品パッケージまたは容器に貼られた製品ラベルになるように設計されているため、剥離可能部分104を含む。一実施形態では、指示、例えば「ここで剥離する」により、剥離可能部分１０４の存在に注意が引かれる。一実施形態では、製品ラベルリストバンド１００の取り外しを容易にするために、剥離可能部分１０４は、製品ラベルまたはリストバンド１００を掴みやすくして製品パッケージまたは容器から剥がしやすくするフラップ１０６を含む。別の実施形態では、フラップ１０６は実際のフロップではなく、フラップのように見えるグラフィックであり、ユーザーが製品ラベルリストバンド１００を剥がす場所をさらに示す。例えば、製品が含まれる製品ボトルなど、任意の製品パッケージまたは容器を使用できる。
【００２１】
図2は、一実施形態による、イベントへのアクセス許可を提供するための製品ラベルリストバンド１００の背面２０３を示す。図3 図２に示すように、背面２０３は、製品ラベルリストバンド１００の各端部に付着された接着剤を含む。一実施形態では、任意の所望の情報またはグラフィックスを製品ラベルリストバンドの背面２０３に含めることができる。
【００２２】
図２に示す実施形態では、図２に示すように、接着剤２０４は、製品ラベルリストバンド１００の一方の端部またはその近くで、製品ラベルリストバンド１００の背面２０３に堆積される。図２に示す実施形態では、図２に示すように、接着ストリップ２０４は、３つの接着ストリップとして構成される。しかしながら、特定の用途では、任意の数の接着ストリップ204を使用することができる。 接着剤２０４は、１つ以上のストリップの形態である必要はない。例えば、用途に応じて、接着剤２０４は、代替的に、接着剤ストリップ、接着剤ビーズまたはドット、または適切な領域に広がる接着剤、またはこれらの何らかの組み合わせとして構成することができる。これらの接着剤構成は、特定の用途に必要な配置パターンを示す場合と配置パターンを示さない場合がある。
【００２３】
一実施形態では、接着剤204は永久接着剤であり、以下で説明するように、人の手首に巻き付けたときに製品ラベルリストバンド100の別の部分に接着する場合、製品ラベルリストバンド100の取り外しには、はさみまたは大量の力などの鋭利な物体の使用が必要になる。
【００２４】
接着剤204の上部には材料206が配置されている。一実施形態では、接着剤２０４と接触している材料２０４の表面は、接着剤２０４からの材料２０６の分離を促進する物質でコーティングされている。例えば、一実施形態では、材料２０６はワックス紙であり、接着剤２０４と接触するワックス紙の表面はワックスでコーティングされ、ワックス紙の反対側の表面はワックスでコーティングされていない。当業者に知られているように、他の材料を材料206として使用することができる。図２に示す実施形態では、図２に示されるように、材料２０６は、材料２０６を接着剤２０４から容易に除去できるように、
コーティングされた表面が接着剤２０４と接触するように接着剤２０４上に配置される。
【００２５】
図２に示されるように、材料２０６の反対側に接着剤２０８が堆積される。一実施形態では、上述のように、材料２０６のこの反対側は、材料２０６の接着剤２０４からの分離を促進する物質でコーティングされていない。図２に示す実施形態では、図２に示されるように、接着剤２０８は、接着剤２０４と接触していない材料２０６の表面上に堆積された単一の接着剤ストリップとして構成される。しかしながら、特定の用途では、任意の数の接着ストリップ208を使用することができる。接着剤２０４は、１つ以上のストリップの形態である必要はない。例えば、用途に応じて、接着剤２０８は、代替的に、接着ストリップ、接着ビーズまたはドット、または適切な領域に広がる接着剤、またはこれらの何らかの組み合わせとして構成され得る。これらの接着剤構成は、特定の用途に必要な配置パターンを示す場合と配置パターンを示さない場合がある。
【００２６】
一実施形態では、材料２０６を接着剤２０４から分離するのに必要な力は、材料２０６を接着剤２０８から分離するのに必要な力より小さくなければならない。さらに、材料２０６を接着剤２０４から分離するのに必要な力は、製品ラベルリストバンド１００が製品パッケージまたは容器から剥がされるときに接着剤２０８から材料２０６が分離するほど大きくてはならない。
【００２７】
一実施形態では、接着剤ストリップ208で使用される接着剤は永久製品であり、製品ラベルまたはリストバンド100の別の部分に接着すると、製品パッケージまたは容器に巻き付けられたときに製品ラベルまたはリストバンド100が製品パッケージまたは容器にしっかりと巻き付けられたままになる。以下の通りさらに詳細に説明するように、製品ラベルリストバンド100が製品パッケージまたは容器から剥がされる場合、接着剤208は、材料206が接着剤204から除去されて接着ストリップ204が露出するように材料206との接触を維持する。
【００２８】
図２に示されるように、接着剤２１０は、接着剤２０４が付着される場所の反対側の製品ラベルリストバンド１００の端部またはその近くで、製品ラベルリストバンド１００の背面２０３に付着される。接着剤２１０は、製品ラベルリストバンド１００を製品パッケージまたは容器に固定するために、製品ラベルリストバンド１００を製品パッケージまたは容器に固定するために使用される。図２に示す実施形態では、図２に示すように、接着部２１０は、単一の接着ストリップとして構成される。しかしながら、特定の用途において接着剤２１０を構成するために、任意の数の接着ストリップを使用することができる。さらに、接着剤２１０は、１つ以上のストリップの形態である必要はない。例えば、用途に応じて、接着剤２１０は、代替的に、接着剤ストリップ、接着剤ビーズまたはドット、または適切な領域に広がる接着剤、またはこれらの何らかの組み合わせとして構成することができる。これらの接着剤構成は、特定の用途に必要な配置パターンを示す場合と配置パターンを示さない場合がある。
【００２９】
一実施形態では、接着剤２１０は、製品ラベルまたはリストバンド１００を製品パッケージまたは容器から容易に取り外すことを可能にする一時的な接着剤である。例えば、一実施形態では、接着剤２１０は、クレジットカードやデビットカードなどの銀行カードを紙の手紙に固定するために一般的に使用される感圧ホットメルト接着剤であり得る。そのような接着剤は、製品ラベルリストバンド100を人の手首に巻き付ける前に、必要に応じて剥がすことにより除去することができる。
【００３０】
代替の接着剤は、当業者には周知であろう。代替実施形態では、製品ラベルリストバンドが製品パッケージまたは容器の周りに巻き付けるためのアンカーを提供するために、製品ラベルリストバンドが貼り付けられる製品パッケージまたは容器に接着剤２１０が堆積される。一実施形態では、接着剤２１０は人間の皮膚を刺激せず、低刺激性または非アレルギー性である。一実施形態において、接着剤２１０は、製品ラベルリストバンド１００の長さに沿った１つ以上の追加の点に堆積されて、追加の指示を提供することができる。
【００３１】
図３は、一実施形態による図２に示されるＡＡ'で取られた製品ラベルリストバンド１００の断面を示す。図3では、製品ラベルリストバンド100の裏面203に付着した接着剤204、接着剤204を覆うように配置された材料206（コーティングされた面が接着剤204と接触している）、材料206の他の表面に付着した接着剤208、および接着剤２０４が付着した場所またはその近くの端部の反対側にある製品ラベルリストバンド１００の端部またはその近くに付着した接着剤２１０を示す。製品パッケージまたは容器に巻き付けられると、接着剤208は製品ラベルリストバンド100の前面の一部にしっかりと取り付けられる。
【００３２】
図４Ａ〜４Ｅは、一実施形態による、製品ラベルリストバンド１００の製品パッケージまたは容器への貼り付け、および製品ラベルリストバンド１００の端部が互いに取り付けられるときに形成される結合シーム４０２を示す。図４Ａから図４Ｅで示す例では、製品パッケージまたは容器は、製品を含むボトル４００である。図４Ａ〜４Ｅでは、製品ラベルリストバンドを貼り付けるために、製品ラベルリストバンド１００は、図４Aおよび図4Bに示すように、製品ラベルリストバンド１００の端部を接着剤２１０（またはボトル４００に以前に付着した接着剤２１０）で使用してボトル４００に貼り付けられる。次いで、製品ラベルリストバンド１００を緊張状態に伸ばし、前面１０３に付着する接着剤２０８を用いてボトル４００の周りに巻き付けて、図4Cおよび4Dに示すように製品ラベルリストバンド１００をボトル４００の周りにしっかりと巻き付ける結合シーム４０２を形成する。一実施形態では、上述のように、接着ストリップ208は、一片の紙206の非ワックス側に取り付けられる。
【００３３】
図４Ｃおよび４Ｅは、上述のように製品ラベルリストバンド１００をボトル４００に取り付け、それをボトル４００に巻き付けると形成される綴じ目４０２を示す。図４Ｅは、図４CのＡ−Ａ'でとられた綴じ目４０２の断面を示している。図4Eに示す通り、結合縫い目４０２は、製品ラベルリストバンド１００の一方の端部またはその近くで材料２０６で覆われた製品ラベルリストバンドの裏面２０３上の接着結合部２０４を含み、その端部は、接着ストリップ２０８を使用して、製品ラベルリストバンド100のもう一方の端に接着剤210が取り付けられている。図４Ｅでも示すように、接着ストリップ２１０を使用して製品ラベルリストバンド１００をボトル４００の表面４０４に固定する。
【００３４】
別の実施形態では、接着剤２１０は不要である。例えば、製品パッケージまたは容器が、上記のように包まれたときに製品ラベルリストバンド100が製品パッケージまたは容器から滑り落ちるのを防ぐ溝を有する場合、溝は接着剤210の必要性を排除する。
さらに、そのような実施形態では、製品ラベルリストバンド100は自由に回転できる。そのようなものとして、別の実施形態では、製品ラベルリストバンド１００は、例えば、米国特許第８，７２７，２２０号、「発明の名称」に記載されるように、下にあるラベルの部分を見る回転ラベルとして機能できるように切り込まれた透明窓を含むことができるが2014年5月20日発行の「コンテナの機械可読情報インターフェース」を参照のため添付している。
【００３５】
接着剤２１０が必要とされない別の実施形態は、製品ラベルリストバンド１００が製品パッケージまたは容器の周りに熱収縮包装される場合である。そのような場合、耳の収縮による締め付けにより、製品ラベルまたはリストバンド100を製品パッケージまたは容器に貼り付ける必要がなくなる。
【００３６】
図５は、例えばフラップ１０６を引くことにより製品パッケージまたは容器から剥がされた後の製品ラベルリストバンド１００の前面１０３を示す。
図５に示されるように、製品ラベルリストバンドが剥がされると、材料２０６が接着剤２０８に貼り付けられる。材料206を接着剤208から分離する力は、材料206を接着剤204から分離するのに必要な力よりも大きいため、材料206は接着ストリップ208に固定されたままである。一実施形態では、これは、材料２０６のコーティングされた表面が接着剤２０４と接触しており、材料２０６のコーティングされていない表面が接着剤２０８と接触しているためである。
【００３７】
図６は、例えばフラップ106を引くことにより製品パッケージまたは容器から剥がされた後の製品ラベルリストバンド１００の背面２０３を示す。
図５に示されるように、製品ラベルリストバンドが剥がされると、材料２０６は接着剤２０８に付着したままである。結果として、製品ラベルリストバンド１００が製品パッケージまたは容器から剥がされると、材料２０６の除去により接着剤２０４が露出する。剥がした後、製品ラベルリストバンド１００を人の手首に巻き付けることができ、この場合、背面２０３は人の皮膚に接触する。製品ラベルリストバンド100の背面203上の接着剤204は、製品ラベルリストバンド100の端部を露出した接着ストリップ204で紙片206または製品ラベルリストバンド100の他端の前面103の別の部分に貼り付けるために使用され、製品ラベルリストバンド100を人の手首にしっかりと巻き付ける。
【００３８】
図７は、例えば、一実施形態によるフラップ１０６を引っ張ることにより、製品パッケージまたは容器から剥がされた後、図６に示されたＡＡ'で取られた製品ラベルリストバンド１００の断面を示す。図７は、製品ラベルまたはリストバンド１００を製品パッケージまたは容器から剥がすプロセスによって露出される製品ラベルリストバンド１００の背面２０３に付着した接着剤２０４、および上記記載の通り、人の周りにしっかりと巻き付けることができる接着剤２０８に付着した材料２０６を示す。
【００３９】
一実施形態では、製品ラベルリストバンド１００は、製品のラベルまたはその一部のみを覆うことができる。どちらの場合でも、製品ラベルリストバンド100が取り外されると、製品の下にあるラベル全体が露出する。別の実施形態では、製品ラベルリストバンド１００が製品のラベルとして機能し、取り外されたときに製品ラベルが残らない。
【００４０】
製品ラベルリストバンド100を製造するための材料の長さは、製品のパッケージまたは容器に依存するが、人間の手首の周りに収まるのに十分な長さでなければならない。製品ラベルリストバンド100を製造するための材料の幅は、製品パッケージまたは容器、および製品ラベルリストバンド100に含まれることが望まれるあらゆる情報に依存することができる。例えば、一実施形態では、製品ラベルリストバンド100は、9.5インチの長さと2インチの幅を有する。  この実施形態では、紙片２０６は、１インチの長さと２インチの幅を有する。これらの寸法は、用途に応じて変更できる。
【００４１】
一実施形態では、能動的または受動的な任意の走査技術により、前面１０３または背面２０３に追加情報を追加することができる。このようなスキャン技術には、QRコードとRFIDコードが含まれるが、これらに限定されない。図8は、一実施形態によるＱＲコード802を含む製品ラベルリストバンド100を示す。図8に示す例では、QRコードにアクセスすると、着用者はwww.spinlabels.comに移動する。QRコードにはあらゆる情報を含めることができる。
【００４２】
別の適用可能なスキャン技術は、近距離無線通信（NFC）である。NFCでは、NFCタグが製品ラベルリストバンド100に埋め込まれている。NFC対応デバイスでアクセスすると、NFCタグによりNFC対応デバイスに情報が表示され、イベントへのエントリを許可するパスを含めることができる。このようなスキャン技術は、製品ラベルリストバンド100の装着者に追加情報を提供するのに役立つだけでなく、イベントへの参加許可の検証を容易にするのにも役立つ。たとえば、スキャンを使用して、着用者が許可されたアクセスリストに載っていることを確認したり、適切にラベル付けされたデバイスのディスプレイにイベントへのパス許可エントリを表示させたりすることができる。
【００４３】
実施形態による製品ラベルリストバンドは、拡張現実（AR）アプリケーションをトリガーするために使用することもできます。たとえば、製品ラベルリストバンド100は、ARアプリケーションによって認識されるコードまたはその他のコードとして機能するグラフィックを使用して構成でき、これにより何らかのアクションが発生する。たとえば、アクションは、認識デバイスにWebブラウザーなどの別のアプリケーションを起動させ、ユーザーを特定のWebサイトに誘導することである。取られる可能性のある別のアクションは、製品ラベルリストバンド100がアクセス許可を提供したイベントにユーザーが没頭している認識デバイスにグラフィックを提示することである。たとえば、イベントがコンサートの場合、そのような没入感は、イベントが行われているステージにユーザーを投影するという形になる。本発明の範囲および趣旨内で、多数のアクションを想定することができる。
【００４４】
図９は、一実施形態による、製品ラベルリストバンド１００などの製品ラベルリストバンドを製造するためのフローチャート９００である。ステップ９０２では、製品ラベルリストバンドを製造するために、製品ラベルリストバンド材料の長さが取得される。製品ラベルのリストバンドの素材は上記のとおりである。ステップ９０４では、ロゴおよび／またはデザインなどの情報およびグラフィックスなどの任意の所望のテキストが、製品ラベルリストバンドの前面および／または背面に印刷される。ステップ９０６では、接着剤２０４などの第１の接着剤が、製品ラベルリストバンドの一端またはその近くの背面に堆積される。ステップ９０８において、第１の接着剤は、第１の表面および第２の表面を有する材料で覆われ、材料の第１の表面は第１の接着剤と接触する。一実施形態では、上述のように、第１の接着剤と接触する材料の表面は、材料と第１の接着剤との間の接着を低減するためにコーティングされる。ステップ９１０では、接着剤２０８などの第２の接着剤が材料の第２の表面上に堆積される。ステップ９１２において、接着剤２１０などの第３の接着剤が、第１の接着剤が堆積される製品ラベルリストバンドの他端またはその近くの製品ラベルリストバンドの裏面に堆積される。
【００４５】
図１０は、図９に関して説明したように製造された製品ラベルリストバンドを一実施形態による製品パッケージまたは容器に適用するためのフローチャート１０００である。ステップ１００２において、接着剤２１０などの第３の接着剤を有する製品ラベルリストバンドの端部の背面が、農産物パッケージまたは容器に貼り付けられる。ステップ１００４では、製品ラベルリストバンドがぴんと張られて製品パッケージまたは容器などに巻き付けられ、接着剤２０８などの第２の接着剤を使用して製品ラベルリストバンドの前面に貼付される。
【００４６】
製品ラベルリストバンドの構成、使用される接着剤の粘着力、およびコーティングされた表面により、製品ラベルリストバンドが製品パッケージまたは容器から剥がされると、最初の接着剤を覆っている材料が除去され、最初の接着剤が露出する。次に、製品ラベルリストバンドを人の手首に巻き付けて、製品ラベルリストバンドの前面にしっかりと取り付けることにより、最初の接着剤が製品ラベルリストバンドを製品自体に取り付ける。製品ラベルのリストバンドは、人の手首にしっかりと巻き付けられると、イベントエントリの承認に使用できる。
【００４７】
本発明の好ましい実施形態の前述の開示は、例示および説明の目的で提示された。包括的、または開示された正確な形態に本発明を限定することは意図されていない。本明細書に記載の実施形態の多くの変形および修正は、上記の開示に照らして当業者には明らかであろう。本発明の範囲は、本明細書に添付された特許請求の範囲およびそれらの同等物によってのみ定義されるものである。
【００４８】
さらに、本発明の代表的な実施形態を説明する際に、明細書は、本発明の方法および／またはプロセスを特定の一連のステップとして提示している場合がある。しかし、本方法またはプロセスが本明細書に記載の特定の順序のステップに依存しない限り、本方法またはプロセスは、説明した特定のステップの順序に限定されるべきではない。当業者が理解するように、ステップの他のシーケンスが可能な場合がある。したがって、本明細書に記載されたステップの特定の順序は、特許請求の範囲の制限として解釈されるべきではない。さらに、本発明の方法および／またはプロセスに向けられた請求項は、記載された順序でそれらのステップの実行に限定されるべきではなく、当業者は、シーケンスが変更され、依然として残ることを容易に理解することができる 本発明の精神および範囲内である。
【図１】
2020528572.tif 000003
【図２】
2020528572.tif 000004
【図３】
2020528572.tif 000005
【図４】
2020528572.tif 000006
【図５】
2020528572.tif 000007
【図６】
2020528572.tif 000008
【図７】
2020528572.tif 000009
【図８】
2020528572.tif 000010
【図９】
2020528572.tif 000011
【図１０】
2020528572.tif 000012
【国際調査報告】
2020528572.tif 000013